(57)【要約】【課題】  空気調和機に装備される排水ポンプの運転時の騒音低減を図る。【解決手段】  排水ポンプ１ａは、ポンプ本体１０のポンプ室１４内に回転羽根６０が配設され、蓋部材１２０は、中央部に回転羽根６０の軸部６１が貫通する開口部１２２を有する。蓋部材１２０の回転羽根６０の上面６０ａに対向する下面１３０は、内周部から外周部に向かって回転羽根６０の上面から離れる方向の傾斜面に形成される。蓋部材１２０の上面１２４と下面１３０の間の肉厚寸法は、内周部から外周部に向かって徐々に薄くなるテーパー状に形成される。また、肉厚が均一で外周部に向かって徐々に回転羽根６０の上面から離れる方向の傾斜面であっても効果は変わらない。【選択図】        図１
2006177184.tif 000002
【特許請求の範囲】
【請求項１】
下端部に吸込口を設けてあり上部側面に吐出口を設けてあるポンプ本体と、該ポンプ本体の上面開口部を覆う蓋部材と、上記ポンプ本体と上記蓋部材とによって区画される空間内に回転自在に納められた回転羽根と、該回転羽根を回転させるモータとを含み、
上記蓋部材の下面形状は、内周部から外周部へ向けて上記回転羽根との間隙が広がるテーパー形状に形成してあることを特徴とする排水ポンプ。
【請求項２】
下端部に吸込口を設けてあり上部側面に吐出口を設けてあるポンプ本体と、該ポンプ本体の上面開口部を覆う蓋部材と、上記ポンプ本体と上記蓋部材とによって区画される空間内に回転自在に納められた回転羽根と、該回転羽根を回転させるモータとを含み、
上記蓋部材の下面外周部に上記回転羽根との間隙を部分的に大きくする凹部が形成してあることを特徴とする排水ポンプ。
【請求項３】
請求項２において、上記凹部の角部は水の抵抗を少なくする斜面または曲面に形成してあることを特徴とする排水ポンプ。
【請求項４】
請求項１〜３のいずれかにおいて、上記ポンプ本体の内底面形状は、内周部から外周部に向けて大きくなる椀形の形状を備えることを特徴とする排水ポンプ。
【発明の詳細な説明】
【技術分野】
【０００１】
本発明は、空気調和機内に装備されて、ドレン水等を排水するための排水ポンプに関する。
【背景技術】
【０００２】
例えば、天井に配設される空気調和機にあっては、蒸発器から落下するドレン水等を機外に排出するための排水ポンプが装備される。
下記の特許文献は、この種の排水ポンプを開示している。
【０００３】
図５は、排水ポンプの概要を示す説明図である。
全体を符号１で示す排水ポンプは、樹脂等でつくられるポンプ本体１０を有する。ポンプ本体１０は、ドレンパンに対向する入口部１２と排水ホースに連結される出口部１６を有し、その間にポンプ室１４が形成される。
【０００４】
ポンプ本体１０の開口部には、樹脂製の蓋部材２０が、樹脂の弾性を利用した結合部により嵌着される。ポンプ本体１０と蓋部材２０の間はシール部材３０によりシールされる。
蓋部材２０の上部にはスタンド４０が立設されており、このスタンド４０の上部に電動モータ５０が装備される。
電動モータ５０の出力軸５２は、ポンプ室１４内に配設される回転羽根６０の軸部６１に形成された有底穴内に圧入される。
【０００５】
蓋部材２０の中央には開口部２２が形成されており、この開口部２２を貫通して回転羽根６０の軸部６１は電動モータ側ヘ突出する。軸部６１とモータ出力軸５２の間には薄い樹脂製の水切板７０が装備される。
【０００６】
この構造をもつ排水ポンプは、回転羽根６０の軸部６１と蓋部材２０の開口部２２との間には所定の間隙を設けて空気通路を確保する必要がある。この間隙からは、水も噴出するが、水切板７０は、この噴出水が電気モータ５０側へ飛散するのを防止する機能をもつ。
【０００７】
回転羽根６０は、軸部６１から放射方向へ延びる大径羽根６２と、大径羽根の下部に連結される小径羽根６３と、大径羽根の外周部を覆うリング部材６４を有する。
回転羽根６０が駆動されると、入口部１２に満たされたドレンパンの水は、回転羽根６０によりかき上げられ、ポンプ室１４を介して出口部１６から上方へ揚水される。
【０００８】
揚水が続くと、ドレンパン内の水位が低下し、ある水位で排水ポンプの運転は継続しても、揚水パイプの出口からは水の吐出が停止し、揚程の水位のみが保たれる状態となる。この状態をバランス状態と称する。
【０００９】
各種の実験の結果、回転羽根６０の上面６０ａと蓋部材２０の下面２０ａとの間の空間形状が、揚水時及びバランス時における騒音の発生に関係することが確認された。
また、同様の実験を継続した結果、騒音の発生領域は、ポンプ室１４内の回転羽根と蓋部材との間の空間のうち、主として回転羽根の外周部の空間形状に影響されることが確認された。
【特許文献１】特開２０００−２１３７６９号公報
【発明の開示】
【発明が解決しようとする課題】
【００１０】
室内側に配設される空気調和機にあっては、騒音の低減が重要な課題である。本発明の目的は、蓋部材の下面部形状を改良することによって運転時の騒音の低減を達成する排水ポンプを提供することにある。
【課題を解決するための手段】
【００１１】
上記目的を達成するために、本発明の排水ポンプは、回転羽根の上面と蓋部材の下面の間の室間形状が、内周部から外周部に向けて間隙寸法が大きくなるテーパー状の室間形状を備える。さらに、回転羽根の上面と蓋部材の下面の間の室間形状は、内周部の間隙寸法が小さく、外周部の間隙寸法が大きくなる段付の空間形状を備えることもある。
【発明の効果】
【００１２】
本発明は以上の構成を備えることにより、排水ポンプ運転時に発生する水かき音を低減することができる。
【発明を実施するための最良の形態】
【００１３】
図１は、本発明の実施例を示す説明図である。
本実施例の排水ポンプ１ａは、ポンプ本体１０のポンプ室１４内に回転羽根６０が配設されることは、既存の排水ポンプと同様である。
蓋部材１２０は、中央部に回転羽根６０の軸部６１が貫通する開口部１２２を
有する。
蓋部材１２０の回転羽根６０の上面６０ａに対向する下面１３０は、内周部から外周部に向かって回転羽根６０の上面から離れる方向の傾斜面に形成される。
すなわち、蓋部材１２０の上面１２４と下面１３０の間の肉厚寸法は、内周部から外周部に向かって徐々に薄くなるテーパー状に形成される。また、肉厚が均一で外周部に向かって徐々に回転羽根６０の上面から離れる方向の傾斜面であっても効果は変わらない。
この回転羽根と蓋部材の間の空間形状によって騒音の低減が達成できる。
【００１４】
図２は、本発明の更に他の実施例を示す説明図である。
本実施例の排水ポンプ１ｂにあっては、蓋部材２２０の下面部は、段付部２３０、２３２に形成される。すなわち、蓋部材２２０の上面２２４と内周部の下面２３０は肉厚寸法が大きく、外周部の下面２３２は肉厚寸法が小さく形成される。又、肉厚が均一であっても効果は変わらない。
そして、回転羽根６０の上面６０ａと内周部の下面２３０との間隙寸法は小さく、外周部の下面２３２との間隙寸法は大きくなるように段付が形成される。
この回転羽根と蓋部材の間の空間形状によって騒音の低減が達成できる。
【００１５】
図３は、本発明の更に他の実施例を示す説明図である。
本実施例の排水ポンプ１ｃにあっては、蓋部材３２０の下面部は、図３の実施例と同様に、段付部３３０、３３２に形成される。
そして、各角部３４０、３４２、３４４は円弧状の面取り形状に形成される。この空間形状により気泡を含む水流の流れが一層にスムーズとなり、騒音の低減効果が向上する。
【００１６】
図４は、本発明の更に他の実施例を示す。本実施例の排水ポンプ１ｄにあっては、蓋部材４２０の下面部は、図４の実施例と同様に、段付部４３０、４３２に形成される。
そして、内周部の下面４３０と外周部の下面４３２との間はテーパー面４４０で連結される。さらに、外周の角部４４４も円弧状の面取り形状に形成される。
この空間形状により気泡を含む水流の流れが一層にスムーズとなり、騒音の低減効果が向上する。
【００１７】
本発明の排水ポンプは以上のように、ポンプ室内に配設される回転羽根の上面と蓋部材の下面との間で形成される空間形状を改良することにより、騒音低減を達成することができるものである。
【図面の簡単な説明】
【００１８】
【図１】本発明の一実施例の排水ポンプの要部を示す説明図。
【図２】本発明の他の実施例の排水ポンプの要部を示す説明図。
【図３】本発明の更に他の実施例の排水ポンプの要部を示す説明図。
【図４】本発明の更に他の実施例の排水ポンプの要部を示す説明図。
【図５】公知の排水ポンプの全体構造を示す説明図。
【符号の説明】
【００１９】
１  排水ポンプ
１０  ポンプ本体
１２  入口部
１４  ポンプ室
１６  出口部
２０  蓋部材
２２  開口部
５０  電動モータ
６０  回転羽根
６１  軸部材
７０  水切板
【図１】
2006177184.tif 000003
【図２】
2006177184.tif 000004
【図３】
2006177184.tif 000005
【図４】
2006177184.tif 000006
【図５】
2006177184.tif 000007